(57)【特許請求の範囲】
【請求項１】
工程管理に関する電子情報を工程に対応付けて記憶した記憶領域と該記憶領域に記憶したいずれかの工程に対応する工程管理に関する電子情報を可視情報として書き換え可能に表示するための書き換え領域とを有する情報記録媒体と、
各工程に対応付けて設置され且つ前記情報記録媒体の書き換え領域に表示された可視情報を書き換えするための書き換え可能装置と、
前記情報記録媒体と前記書き換え可能装置との間で通信を行うための通信手段とを備え、
前記電子情報は前記書き換え領域に表示する情報と共に、書き換え領域及び／又は表示領域の数、表示位置、表示面積の１又は複数を含むレイアウト情報を含み、
各工程において前記情報記録媒体は前記通信手段を介して通信を行うことにより、前記記憶媒体に後続工程に必要な伝達情報を記憶させると共に、前記書き換え可能装置は対応する工程の工程管理に関する電子情報を前記情報記憶媒体から読み出し、読み出した工程管理に関する電子情報を当該工程で表示する情報の種類や量に応じた前記レイアウト情報に基づいて前記情報記録媒体の書き換え領域を書き換え、情報記録媒体は前記伝達情報を後続工程で表示するために前記情報記憶領域に記憶することを特徴とする工程管理情報の書換表示システム。
【発明の詳細な説明】
【０００１】
【発明の属する技術分野】
本発明は、情報記録媒体を使用した工程管理情報の書換表示システム、より詳細には、工程管理に関する電子情報を記憶した記憶領域と該電子情報を可視情報として書き換え可能に表示するための書き換え領域とを有する情報記録媒体を使用した工程管理情報の書換表示システムに関する。
【０００２】
【従来の技術】
近年、情報の記録媒体として、例えば、クレジットカード、キャッシュカード、ライセンスカード、ＩＤカード、定期券、会員証などのカード状記録媒体が使用されている。これらの記録媒体は、その記録媒体の種類や発券団体を示す情報や、保有者に関する情報を目視可能なように印刷した印刷領域と、記録媒体の保有者に関する電子情報を記憶する磁気テープやＩＣチップ等のような記憶領域とを備えている。通常、このような記録媒体は使い捨てであり、例えば、有効期限が切れてしまうと廃棄処分となっている。
【０００３】
このような問題点を解決するために、書き換え層、中間層及びＩＣ層から構成される非接触型ＩＣカードに関するものが開示されている。書き換え層には、書き換え記録層が設けられており、有機低分子物質及び赤外線吸収材等が分散されている。この有機低分子物質には、加熱されると結晶状態が変化するものが選ばれている。このため、加熱により可視情報を記録することができる。これにより、例えば、乗車区間や有効期間といった可視情報が表示される。また、ＩＣ層のモジュール層にはＣＰＵとメモリが設けられており、そこには乗車区間や有効期間を示すデータが格納されており、自動改札装置等によってデータが読み出される（例えば、特許文献１参照）。
【０００４】
ここで、上記したような再利用可能な記録媒体を工程管理システムに適用したものが開示されている。これは、所要の情報を書き換え可能に表示するための工程管理票としてのデジタルペーパと、工程管理に関する情報を処理するための情報処理装置と、デジタルペーパと情報処理装置との間の通信を行うための通信手段とを備え、工程管理情報の変更時にも再使用可能な工程管理票を用いて、効率的な工程管理を行えるようにしたものである（例えば、特許文献２参照）。
【０００５】
【特許文献１】
特開平１０−２８７０７２号公報
【特許文献２】
特開２００２−７３１３８号公報
【０００６】
【発明が解決しようとする課題】
しかしながら、上記特許文献２に記載の発明によると、工程管理者が工程管理に関する情報をデジタルペーパにダウンロードし、その情報に基づいて各々の工程管理者が作業するため、例えば、複数の工程管理者間における工程を流れるような組み立て等の作業では、各工程管理者間（前工程、後工程など）の情報伝達がうまく行われない場合があった。
さらに、各工程において、後続の工程に対して、作業指示を行うような場合は、各工程に対応する帳票／指示書をその都度起票し、その帳票／指示書を出力するなどの処理が必要であった。このような処理を行うことは、流れ作業における情報伝達の効率化を妨げる要因の一つとなっていた。
【０００７】
本発明は、上述のごとき実情に鑑みてなされたものであり、工程管理情報及び工程間における伝達情報を記憶した記憶領域と該記憶領域に記憶した工程管理情報及び伝達情報を可視情報として書き換え可能に表示するための書き換え領域とを有する情報記録媒体を提供すること、情報記録媒体を用いて効率的に工程管理業務等を行えるようにするための書換表示システムを提供すること、を目的としてなされたものである。
【０００８】
【課題を解決するための手段】
本発明は、工程管理に関する電子情報を工程に対応付けて記憶した記憶領域と該記憶領域に記憶したいずれかの工程に対応する工程管理に関する電子情報を可視情報として書き換え可能に表示するための書き換え領域とを有する情報記録媒体と、各工程に対応付けて設置され且つ前記情報記録媒体の書き換え領域に表示された可視情報を書き換えするための書き換え可能装置と、前記情報記録媒体と前記書き換え可能装置との間で通信を行うための通信手段とを備え、前記電子情報は前記書き換え領域に表示する情報と共に、書き換え領域及び／又は表示領域の数、表示位置、表示面積の１又は複数を含むレイアウト情報を含み、各工程において前記情報記録媒体は前記通信手段を介して通信を行うことにより、前記記憶媒体に後続工程に必要な伝達情報を記憶させると共に、前記書き換え可能装置は対応する工程の工程管理に関する電子情報を前記情報記憶媒体から読み出し、読み出した工程管理に関する電子情報を当該工程で表示する情報の種類や量に応じた前記レイアウト情報に基づいて前記情報記録媒体の書き換え領域を書き換え、情報記録媒体は前記伝達情報を後続工程で表示するために前記情報記憶領域に記憶する工程管理情報の書換表示システムを特徴とするものである。
【００２２】
【発明の実施の形態】
図１は、本発明の一実施形態に係る情報記録媒体の構成例を説明するための図で、図中、１０は情報記録媒体で、該情報記録媒体１０は、書き換え可能な書き換え領域１１、書き換え不可の表示領域１２、ＩＣチップを備えたＩＣ領域１３を有している。書き換え領域１１には、後述する書き換え可能装置（以下、リライタブル装置という）により、ＩＣ領域１３に記憶した電子情報が可視情報として書き換え可能に表示される。表示領域１２は、書き換え不可の領域であるため、一度印字された可視情報は書き換えることができない。尚、表示領域１２を書き換え領域として構成し、後述する書き換え可否制御情報により書き換えの可否を制御するようにしてもよい。この情報記録媒体１０は、少なくとも１箇所以上の書き換え領域１１を有していればよく、この書き換え領域１１はどのように配置してあってもよい。また、書き換え領域１１及び表示領域１２の形状は矩形でなく、円形、楕円、多角形でも構わない。また、情報記録媒体１０は、ＩＣ領域１３を、書き換え領域１１及び表示領域１２を設けた面と異なる面に設けている。これにより、情報を表示させる表示面積を大きくとることが可能となる。
【００２３】
図２は、図１に示したＩＣ領域１３の構成例を示す図で、このＩＣ領域１３はＩＣタグの種類に応じて接触型と非接触型とに分類され、本実施形態では接触型ＩＣタグを利用したものを接触型ＩＣ領域１３ａとし、非接触型ＩＣタグを利用したものを非接触型ＩＣ領域１３ｂとして説明するものとする。
【００２４】
図２（Ａ）は、接触型ＩＣ領域１３ａについて示した図で、接触型ＩＣ領域１３ａは、基材上に接点部１３ａ１と、ＩＣチップ（ＣＰＵ１３ａ２，ＲＯＭ１３ａ３，ＥＥＰＲＯＭ１３ａ４，ＲＡＭ１３ａ５を含む）とを有している。図２（Ｂ）は、非接触型ＩＣ領域１３ｂについて示した図で、非接触型ＩＣ領域１３ｂは、基材上にアンテナ部１３ｂ１と、ＩＣチップ（ＣＰＵ１３ｂ２，ＲＯＭ１３ｂ３，ＥＥＰＲＯＭ１３ｂ４，ＲＡＭ１３ｂ５を含む）とを有している。上記したＩＣチップの構成は接触型ＩＣ領域１３ａ及び非接触型ＩＣ領域１３ｂにおいて同様であるため、本例では、非接触型ＩＣ領域１３ｂを代表例として説明する。
まず、ＩＣチップに含まれるＥＥＰＲＯＭ１３ｂ４は、電気的に書込み／消去が可能な不揮発性メモリで、データやプログラムを記憶しておくことができる。このＥＥＰＲＯＭ１３ｂ４以外にも、例えば、フラッシュメモリ、ＦｅＲＡＭ等を適用することができる。ＣＰＵ１３ｂ２（中央演算処理装置）は、プログラムに従って計算したり、情報の送受信を制御する。ＲＯＭ１３ｂ３及びＲＡＭ１３ｂ５は、ＣＰＵ１３ｂ２に組み込まれており、必要に応じてデータやプログラムを記憶する。このＩＣチップは、ＩＣ領域１３の中核的な部分で外部からの情報を取り入れて記憶処理を行うものである。
【００２５】
また、接触型ＩＣ領域１３ａの場合、接点部１３ａ１を有し、接点部１３ａ１は、接触型ＩＣ領域１３ａとリーダ／ライタ装置との間でデータ交換したり、接触型ＩＣ領域１３ａのＩＣチップを動作させるための電力を供給する。この接点部１３ａ１は、各接点に応じて役割が予め決められている。また、非接触型ＩＣ領域１３ｂの場合、アンテナ部１３ｂ１を有し、アンテナ部１３ｂ１は、電波を介して外部機器との間で情報のやり取りを行うと共に、非接触型ＩＣ領域１３ｂのＩＣチップを動作させるための電力を発生させる。尚、情報記録媒体１０には、上記した接触型ＩＣ領域１３ａ又は非接触型ＩＣ領域１３ｂのどちらのＩＣ領域を設けてもよいが、それぞれのＩＣ領域に応じたリーダ／ライタ装置を設置しておく必要がある。
【００２６】
図３は、図２（Ｂ）に示した非接触型ＩＣ領域１３ｂの通信方式の一例について示した図である。非接触型ＩＣ領域１３ｂの通信方式には大きく分けて、磁界方式、電波方式、光方式の３つがある。図３（Ａ）は、磁界方式の一つである電磁結合方式の構成例について示した図で、図３（Ｂ）は、赤外線を利用した光方式の構成例について示した図である。また、図３（Ｃ）は、磁界方式の一つである電磁誘導方式の構成例について示した図で、図３（Ｄ）は、マイクロ波を利用したマイクロ波方式の構成例について示した図である。このように、非接触型ＩＣタグは、用途に応じて形状や特性も多様であり、その通信距離は、例えば、１ｍｍ程度のものから５ｍ程度のものまで幅広い。上記したように通信方式が数種類あることから、用途に応じて最適な通信方式を選択することができる。また、非接触型ＩＣタグの形状も、例えば、ラベル形、カード形、コイン形、スティック形等、さまざまなものがある。
【００２７】
図４は、本発明の情報記録媒体１０を用いた書換表示システムの構成例について説明するための図で、本書換表示システムは、情報記録媒体１０，書き換え可能（以下、リライタブルという）装置２１，情報記録媒体１０との間で情報を送受信するための通信手段２２，各種情報を入力するための端末装置２３を有している。本実施形態ではリライタブル装置２１と通信手段２２とを別々に図示しているが、通信手段２２をリライタブル装置２１に物理的に含めるように構成しても良い。
【００２８】
本実施形態に示す書換表示システムにおいて、情報記録媒体１０のＩＣ領域１３として、図２（Ｂ）に示したような非接触型ＩＣ領域１３ｂを用いて説明するものとする。
非接触型ＩＣ領域１３ｂは、通信手段２２からの電波をアンテナ部１３ｂ１で受信することにより、例えば、上記したような磁界方式、電波方式、光方式など各種の通信方式によって内蔵するＣＰＵ１３ｂ２に電力を発生させる。ＣＰＵ１３ｂ２は、発生した電力によりＩＣチップ内に格納されているプログラムに従って計算したり、ＩＣチップに記憶した電子情報に基づいて書き換え領域１１を書き換えるようにリライタブル装置２１に指示するなどの各種処理の実行や、情報の送受信の制御等を電波を介して行う。リライタブル装置２１は、情報記録媒体１０からの書き換え指示に従って、前記電子情報に基づいて書き換え領域１１を書き換える。
【００２９】
本書換表示システムを工程管理システムに適用した場合において、例えば、工程管理において各工程間の伝達情報等が端末装置２３から入力されると、その伝達情報を通信手段２２を介して情報記録媒体１０の非接触型ＩＣ領域１３ｂ（ＩＣチップ）に記憶し、記憶した伝達情報を可視情報として書き換え領域１１に表示させるようにしてもよい。尚、通信手段２２には、情報記録媒体１０のＩＣ領域１３との間で非接触方式による情報の送受信を制御するための制御部と、該制御部に接続されたアンテナとを備えているものとする。
【００３０】
図５は、本発明の情報記録媒体１０を工程管理システムに適用した場合の構成例について説明するための図で、情報記録媒体１０は、書き換え領域１１、表示領域１２、ＩＣチップを備えたＩＣ領域１３を有している。この情報記録媒体１０は、例えば、部品を格納するキャビネットなどに添付され、例えば、第１工程（部品登録時）〜第２工程（部品加工時）〜第３工程（製品納品時）からなる複数の生産工程において、各工程の担当者又は工程管理者によって持ち回りで使用される。書き換え領域１１は、リライタブル装置２１により、上記各生産工程（第１工程，第２工程，第３工程等）に応じた工程管理情報が可視情報として書き換え可能に表示される。尚、本実施形態における情報記録媒体１０は、３つの各作業工程からなる一連の工程に対して適用した例について示しているが、本発明は、複数の工程からなる一連の流れ作業を行う工程管理、例えば、生産管理，物流管理，飛行場等における検査管理等、様々な流れ作業を実行するための工程管理全般に適用することができる。
【００３１】
本発明によると、流れ作業を行うような工程管理に対して、各工程に応じて情報記録媒体の表示内容を書き換えることで、次工程あるいは未処理工程に対する指示の効率化を図ることができると共に、繰り返し書き換えて利用することにより、紙資源を無駄に使用しなくて済み環境負荷を低減することができる。
また、情報記録媒体の表示に関して、指示内容に応じて表示領域を設定可能としたために、例えば、緊急時の伝達情報を拡大表示するといった表示方法が可能となる。このため、担当者等は視覚的に情報を確認することが可能となり、迅速な対応をとることができる。
また、複数部品を組み合わせるあるいは同じ種類の部品をまとめる統合化工程において、複数枚の帳票を１つの帳票に書き換えすることが可能となるため、紙資源を無駄に使用しなくて済み環境負荷を低減すると共に、帳票の確認回数が減ることにより、担当者のチェックミスなどを未然に防止することが可能となる。
【００３２】
図６は、情報記録媒体１０のＩＣ領域１３に格納された工程管理情報テーブル及び表示領域管理テーブルの一例を説明するための図である。図６（Ａ）は、各生産工程を管理するための工程管理情報テーブルの一例を示した図で、この工程管理情報テーブルには印刷出力する帳票の種類毎に属性情報を管理するための属性情報を含むものとする。図６（Ｂ）は、各表示領域を管理するための表示領域管理テーブルの一例を示した図である。これらの工程管理情報テーブル及び表示領域管理テーブルは、情報記録媒体１０のＩＣチップに予め記憶させておくものとする。
【００３３】
図６（Ａ）において、工程管理情報テーブルには、例えば部品登録情報、加工指示情報、納品情報などの工程管理に関する情報が生産工程毎に登録されている。この工程管理情報は、工程（本例では、第１工程、第２工程、第３工程）毎に、例えば、工程内容（登録処理，加工処理，納品処理など）、工程の識別情報（工程固有の工程番号など）、書き換え領域１１及び表示領域１２に表示させる情報の種類（これは、例えば書き換え領域１１には登録情報，指示情報，納品情報等を表示させ、表示領域１２には日時、生産担当者等を表示させる）、各リライタブル装置に割り当てられた固有番号などを含むものとする。また、工程管理情報テーブルに含まれる属性情報は、印刷出力する帳票の種類（本例では、登録帳票，加工帳票，納品帳票）に応じて、指示情報の有無、通知先（担当者，管理者，配送先など）、連絡手段（メール，電話，ＦＡＸなど）、関連処理の有無、統合処理の有無などを含むものとする。
【００３４】
ここで、幾つかの異なる工程が、その後の別の工程で統合されるような場合、具体的には、例えば、複数の部品を組み立てて新たな１部品（製品）とするような統合化工程を有する場合には、前記複数部品の工程に応じた複数の帳票（情報記録媒体）が１枚の情報記録媒体１０に統合処理される。統合処理を必要とするかどうかは、属性情報の「統合処理」により判断することができる。本例では、加工帳票及び納品帳票に対して統合処理する必要があることがわかる。
【００３５】
図６（Ｂ）において、表示領域管理テーブルには、表示領域に応じた書き換え可否制御情報や、レイアウト情報などを含む表示領域に関する管理情報が登録されている。上記書き換え可否制御情報は、情報記録媒体１０の書き換え領域を同一面上に複数箇所設けた場合、すなわち、情報記録媒体１０の書き換え領域１１及び表示領域１２とも書き換え領域として構成した場合、各書き換え領域について書き換えの可否を制御するためのもので、本例では、書き換え領域１１は書き換え可能で、表示領域１２は書き換え不可であることがわかる。このように、書き換え可能領域と書き換え不可領域とをソフトウェアにより制御することができる。
【００３６】
また、上記レイアウト情報は、書き換え領域の数，表示位置，表示面積のいずれか１又は複数を含むもので、このレイアウト情報に従って工程管理情報及び伝達情報等を書き換え領域１１に書き換えることができる。ここで、工程管理情報の情報量、例えば、可視情報として表示される指示内容のデータ量に応じてレイアウト情報を変更するようにしてもよい。表示させる可視情報は、例えば、文字，アルファベット，数字，記号，コードなどを含み、リライタブル装置２１により印字出力される。
【００３７】
図７は、本発明の一実施形態である情報記録媒体１０を用いた工程管理システムの構成例について説明するための図で、図中、２０は第１工程（部品登録工程）で、該第１工程２０は、情報記録媒体１０，リライタブル装置２１，情報記録媒体１０との間で情報を送受信するための通信手段２２，担当者が使用する端末装置２３を有し、３０は第２工程（加工工程）で、該第２工程３０は、第１工程２０からの情報記録媒体１０，リライタブル装置３１，情報記録媒体１０との間で情報を送受信するための通信手段３２，担当者が使用する端末装置３３を有し、４０は第３工程（納品工程）で、該第３工程４０は、第２工程３０からの情報記録媒体１０，リライタブル装置４１，情報記録媒体１０との間で情報を送受信するための通信手段４２，担当者が使用する端末装置４３を有し、５０は工程管理情報を登録した工程管理情報ＤＢである。尚、工程管理情報ＤＢ５０を含まないシステム構成としてもよい。本実施形態において情報記録媒体１０は、工程選択手段１４，工程管理情報読出手段１５，書換指示手段１６，工程管理情報テーブル及び表示領域管理テーブルをＩＣ領域１３に格納して有し、各工程（第１工程２０，第２工程３０，第３工程４０）に対応付けて設置したリライタブル装置２１，３１，４１により書き換え領域１１の表示内容をその都度書き換えて使用される。
【００３８】
ここで、第１工程２０に含まれる構成を代表例として以下に説明する。尚、第２工程３０及び第３工程４０についても第１工程２０と同様の構成を有するため、ここでの説明は省略する。
まず、リライタブル装置２１は、第１工程２０に対応付けられており、通信手段２２を介して情報記録媒体１０と通信することができ、情報記録媒体１０の書き換え領域１１に表示された可視情報を書き換えることができる。尚、本実施形態ではリライタブル装置２１と通信手段２２とを別々に図示しているが、通信手段２２をリライタブル装置２１に物理的に含めるように構成しても良い。情報記録媒体１０の表示領域１１への印字／消去は、例えば、光（カラーの場合）や、熱（モノクロの場合）を利用した公知の書き換え技術により実現することができる。
【００３９】
また、リライタブル装置２１は、情報記録媒体１０のＩＣ領域１３に記憶した表示領域管理テーブルに含まれるレイアウト情報に従って書き換え領域１１を書き換えるようにしてもよい。また、リライタブル装置２１は、情報記録媒体１０が書き換え領域１１を複数箇所有する場合、ＩＣ領域１３に記憶した工程管理情報テーブルに含まれる書き換え可否制御情報に従って各書き換え領域の中で書き換え可能な書き換え領域を選択的に書き換えることもできる。
【００４０】
また、端末装置２３は、通信手段２２を介して情報記録媒体１０と通信することができ、担当者が工程間の伝達情報等を端末装置２３から入力することにより、その伝達情報を情報記録媒体１０のＩＣ領域１３に記憶させることができる。尚、本実施形態の端末装置２３は、デスクトップコンピュータとして図示しているが、携帯電話や、ＰＤＡ（Ｐｅｒｓｏｎａｌ  Ｄｉｇｉｔａｌ  Ａｓｓｉｓｔａｎｔ）、モバイルコンピュータなどであってもよく、情報記録媒体１０への情報書き込み／読み取り手段を有していればよい。尚、上記伝達情報には、自工程（本例では、第１工程２０）における作業結果、次の工程（第２工程３０）や未処理工程（第２工程３０及び第３工程４０）への伝達事項などを含むものとする。
【００４１】
情報記録媒体１０の記憶領域（ＲＯＭ１３ｂ３，ＥＥＰＲＯＭ１３ｂ４，ＲＡＭ１３ｂ５など）には、工程選択手段１４，工程管理情報読出手段１５，書換指示手段１６をプログラムとして格納し、また、前記した工程管理情報テーブル及び表示領域管理テーブルを予め格納しておくものとする。工程選択手段１４は、通信手段２２を介してアクセスしたリライタブル装置２１に対応した生産工程を前記記憶領域の中から選択する。工程管理情報読出手段１５は、工程選択手段１４により選択した生産工程に応じた工程管理情報を読み出す。書換指示手段１６は、工程管理情報読出手段１５から読み出した工程管理情報に基づいて表示領域１２を書き換えるようにリライタブル装置２１に指示する。ここで、ＩＣ領域１３として非接触型ＩＣ領域１３ｂを設けた場合、通信手段２２に近づけるだけで、情報交換を行うことが可能となる。尚、上記各手段を実行するプログラムの格納場所は、情報記録媒体１０でなくてもよく、通信手段２２又はリライタブル装置２１又は端末装置２３に格納するようにしてもよい。
【００４２】
情報記録媒体１０は、リライタブル装置３１に書き換え指示（例えば、第１工程２０→第２工程３０）を行う際に、第２工程３０において、第１工程２０からの情報記録媒体１０のＩＣ領域１３において当該書き換え指示する生産工程（第２工程３０）に関する伝達情報が記憶されているかどうか判断し、その結果、前記伝達情報が記憶されている場合、第２工程３０の工程管理情報及び伝達情報に基づいて書き換え領域１１を書き換えるようにリライタブル装置３１に指示する。この場合、リライタブル装置３１は、情報記録媒体１０からの書き換え指示に従って、書き換え領域１１に表示されている第１工程２０の工程管理情報を消去した後に、第２工程３０の工程管理情報を書き換え領域１１に印刷する。
【００４３】
ここで、幾つかの異なる工程が、その後の別の工程で統合されるような場合、具体的には、例えば、複数の部品を組み立てて新たな１部品（製品）とするような統合化工程を有する場合には、前記複数部品の生産工程に応じた複数の帳票（情報記録媒体）が１枚の情報記録媒体１０に統合処理される。具体例として、端末装置２３は、前記複数部品の生産工程に応じた帳票に統合化工程に対する伝達情報などが記憶されていた場合、その伝達情報を一旦記憶し、記憶した伝達情報を一括して情報記録媒体１０のＩＣ領域１３に記憶するようにする。統合化工程において、リライタブル装置２１は、ＩＣ領域１３に記憶された伝達情報を一括して書き換え領域１１に印刷出力させる。
【００４４】
また、工程管理情報ＤＢ５０は、工程毎に工程管理情報を登録したもので、この工程管理情報ＤＢ５０を有するシステム構成の場合、上記工程管理情報を情報記録媒体１０のＩＣ領域１３に予め記憶しておく必要はない。この場合、各工程において作業を実施するときに、端末装置２３は、自工程に関する工程管理情報を工程管理情報ＤＢ５０から取得し、その取得した工程管理情報を情報記録媒体１０のＩＣ領域１３にその都度記憶するようにする。更に、工程間における伝達情報を工程管理情報ＤＢ５０に登録するようにすれば、ＩＣ領域１３のメモリ容量を少なく構成することが可能となる。
【００４５】
【発明の効果】
本発明によると、工程管理情報及び工程間における伝達情報を記憶した記憶領域と該記憶領域に記憶した工程管理情報及び伝達情報を可視情報として書き換え可能に表示するための書き換え領域とを有する情報記録媒体を利用することにより、効率的に工程管理業務等を行うことができる。
【図面の簡単な説明】
【図１】  本発明の一実施形態に係る情報記録媒体の構成例を説明するための図である。
【図２】  図１に示したＩＣ領域の構成例を示す図である。
【図３】  図２（Ｂ）に示した非接触型ＩＣ領域の通信方式の一例について示した図である。
【図４】  本発明の情報記録媒体を用いた書換表示システムの構成例について説明するための図である。
【図５】  本発明の情報記録媒体を工程管理システムに適用した場合の構成例について説明するための図である。
【図６】  情報記録媒体のＩＣ領域に格納された工程管理情報テーブル及び表示領域管理テーブルの一例を説明するための図である。
【図７】  本発明の一実施形態である情報記録媒体を用いた工程管理システムの構成例について説明するための図である。
【符号の説明】
１０…情報記録媒体、１１…書き換え領域、１２…表示領域、１３…ＩＣ領域（記憶領域）、１３ａ…接触型ＩＣ領域、１３ａ１…接点部、１３ａ２，１３ｂ２…ＣＰＵ、１３ａ３，１３ｂ３…ＲＯＭ、１３ａ４，１３ｂ４…ＥＥＰＲＯＭ、１３ａ５，１３ｂ５…ＲＡＭ、１３ｂ…非接触型ＩＣ領域、１３ｂ１…アンテナ部、１４…工程選択手段、１５…工程管理情報読出手段、１６…書換指示手段、２０…第１工程、２１，３１，４１…書き換え可能（リライタブル）装置、２２，３２，４２…通信手段、２３，３３，４３…端末装置、３０…第２工程、４０…第３工程、５０…工程管理情報ＤＢ。
【図１】
0004853889.tif 000002
【図２】
0004853889.tif 000003
【図３】
0004853889.tif 000004
【図４】
0004853889.tif 000005
【図５】
0004853889.tif 000006
【図６】
0004853889.tif 000007
【図７】
0004853889.tif 000008